(57)【要約】  【課題】簡素な構成で、本体部に対する蓋類の起立状態の保持と、本体部に対する蓋類の回動時の確実な制動とを、長期間にわたり確保する。  【解決手段】本体部に取り付けられた孔部１０ａを有するケース１０に回動可能に保持され蓋類と一体的に回動する第１シャフト２０と、該第１シャフト２０の外周面に回動不能に固定されて孔部１０ａ内に回動可能に嵌挿された略円筒状の外径の異なる弾性材料よりなる第１クッション３０を備える。孔部１０ａの内周面には内向き突起部１３および第１ストッパー壁面１０２を有する。第１クッション３０の外径の比較的に大きい外周面側には第１外向き突起部３２および隣接する第１徐変作用面３３を有し、外径の小さい外周面に第１ストッパー外向き突起部１０１及び隣接する第１ストッパー円弧外周面１０５を有する。【選択図】図１
2006097729.tif 000002
【特許請求の範囲】
【請求項１】
本体部を開閉可能な第１蓋類及び第２蓋類がそれぞれ起立した開状態から自重による傾倒により閉状態になる際に、該第１蓋類及び第２蓋類の傾倒スピードを遅くして緩衝作用を果たすダンパ装置において、
前記本体部に回動不能に取り付けられた、断面がほぼ円形状の内周面を持つ孔部を有するケースと、前記第１蓋類に回動不能に取り付けられるとともに該ケースに回動可能に保持されて該第１蓋類と一体的に回動する第１シャフトと、該第１シャフトの外周に回動不能に固定されるとともに該ケースの該孔部に回動可能に嵌挿された、ほぼ円筒状の外径の異なる複数段で形成された弾性材料よりなる第１クッションと、前記第２蓋類に回動不能に取り付けられるとともに該ケースに回動可能に保持されて該第２蓋類と一体的に回動する第２シャフトと、該第２シャフトの外周に回動不能に固定されるとともに該ケースの該孔部に回動可能に嵌挿された、ほぼ円筒状の外径の異なる複数段で形成された弾性材料よりなる第２クッションとを備えたことを特徴とするダンパ装置。
【請求項２】
本体部を開閉可能な蓋類が起立した開状態から自重による傾倒により閉状態になる際に、該蓋類の傾倒スピードを遅くして緩衝作用を果たすダンパ装置において、
前記本体部に回動不能に取り付けられた、断面がほぼ円形状の内周面を持つ孔部を有するケースと、前記蓋類に回動不能に取り付けられるとともに該ケースに回動可能に保持されて該蓋類と一体的に回動するシャフトと、該シャフトの外周に回動不能に固定されるとともに該ケースの該孔部に回動可能に嵌挿された、ほぼ円筒状の外径の異なる複数段で形成された弾性材料よりなるクッションを備え、
前記ケースは半径内方向に突出する内向き突出部ならびにストッパー壁面を前記孔部の内周面に有する一方、前記クッションは、比較的外径の大きい段部には半径外方向に突出する外向き突起部及び該外向き突起部に隣接して円周方向に外径が徐変する徐変作用面をまた、比較的外径の小さい段部には半径外方向に突出するストッパー外向き突起部及び該ストッパー外向き突起部に隣接して円弧状のストッパー円弧外周面をそれぞれ外周面に有することを特徴とするダンパ装置。
【請求項３】
本体部を開閉可能な第１蓋類及び第２蓋類がそれぞれ起立した開状態から自重による傾倒により閉状態になる際に、該第１蓋類及び第２蓋類の傾倒スピードを遅くして緩衝作用を果たすダンパ装置において、
前記本体部に回動不能に取り付けられた、断面がほぼ円形状の内周面を持つ孔部を有するケースと、前記第１蓋類に回動不能に取り付けられるとともに該ケースに回動可能に保持されて該第１蓋類と一体的に回動する外径の異なる複数段で形成された第１シャフトと、該第１シャフトの比較的外径の大きい段側の外周に軸の長手方向に沿って突起状に形成された第１ストッパー突起部と、該第１シャフトの比較的外径の小さい段側の外周面に回動不能に固定されるとともに該ケースの該孔部に回動可能に嵌挿された、ほぼ円筒状の弾性材料よりなる第１クッションと、
前記第２蓋類に回動不能に取り付けられるとともに該ケースに回動可能に保持されて該第２蓋類と一体的に回動する外径の異なる複数段で形成された第２シャフトと、該第２シャフトの比較的外径の大きい段側の外周に軸の長手方向に沿って突起状に形成された第２ストッパー突起部と、該第２シャフトの比較的外径の小さい段側の外周面に回動不能に固定されるとともに該ケースの該孔部に回動可能に嵌挿された、ほぼ円筒状の弾性材料よりなる第２クッションとを備え、
さらに前記ケースは半径内方向に突出する内向き突出部ならびに第１ストッパー壁面及び第２ストッパー壁面をそれぞれ前記孔部の内周面に有する一方、  前記第１クッションは、半径外方向に突出する第１外向き突起部及び該第１外向き突起部に隣接して円周方向に径が徐変する第１徐変作用面を有することを特徴とするダンパ装置。
【請求項４】
本体部を開閉可能な蓋類が起立した開状態から自重による傾倒により閉状態になる際に、該蓋類の傾倒スピードを遅くして緩衝作用を果たすダンパ装置において、
前記本体部に回動不能に取り付けられた、断面がほぼ円形状の内周面を持つ孔部を有するケースと、前記蓋類に回動不能に取り付けられるとともに該ケースに回動可能に保持されて該蓋類と一体的に回動する外径の異なる複数段で形成されたシャフトと、該シャフトの比較的外径の大きい段側の外周に軸の長手方向に沿って突起状に形成されたストッパー突起部と、該シャフトの比較的外径の小さい段側の外周面に回動不能に固定されるとともに該ケースの該孔部に回動可能に嵌挿された、ほぼ円筒状の弾性材料よりなるクッションとを備え、
さらに前記ケースは半径内方向に突出する内向き突出部ならびにストッパー壁面を前記孔部の内周面に有する一方、前記クッションは、半径外方向に突出する外向き突起部及び該外向き突起部に隣接して円周方向に径が徐変する徐変作用面を有しまた、該シャフトの比較的外径の大きい段側の外周面及び該外周面に相対する前記孔部の内周面とで形成されている一定の間隔を有した隙間には、板状の弾性材料よりなるストッパーを前記ストッパー壁面の側面に当接するようにして介在させるようにしたことを特徴とするダンパ装置。
【請求項５】
請求項３または、請求項４において、前記第１ストッパー及び第２ストッパーは、シリコーンゴムなどの永久歪特性に優れる弾性材料で形成したことを特徴とするダンパ装置。
【発明の詳細な説明】
【技術分野】
【０００１】
本発明はダンパ装置に関し、詳しくは本体部を、開閉可能な蓋類が起立した開状態から自重による傾倒により閉状態になる際に、該蓋類の傾倒スピードを遅くしてブレーキ作用を果たすダンパ装置に関する。
【０００２】
本発明のダンパ装置は、例えば、便器の便座や便蓋用のダンパ装置に好適に用いることが出来る。
【背景技術】
【０００３】
周知のように、便器（本体部）に対して開平可能に取り付けられた便座（蓋類）が起立した開状態から自重による傾倒により閉状態になる際に、便座が便器に衝突して騒音などが発生しないように、傾倒する便座の傾倒スピードを遅くして緩衝作用を果たすダンパ装置が、従来から提供されている。
【０００４】
そして、このようなダンパ装置として、便座と一体的に設けられたカム部材の断面をおむすび型とし、その３つの頂点部を便器側のボス部材の孔に摺動回動可能に嵌着し、便器に対する便座の起立位置の保持と、便器に対する番座の回動時の制動確保とを図るものが知られている（例えば、特許文献１等参照）。
【０００５】
また炊飯器などにおいて、オイル等の粘性流体による回転抵抗を利用した蓋開閉装置が知られている（特許文献２参照）。
【特許文献１】特開２００１-３７６７８号公報
【特許文献２】特開平８-２４６７４２号公報
【発明の開示】
【発明が解決しようとする課題】
【０００６】
ところが、便器に対する便座の起立位置の保持と、便器に対する便座の回動時の制動確保との両立を実現しようとする場合、前記カム部材の３つの頂点部と摺接するボス部材の孔の内周面を特別の形状に形成しなければならない。
【０００７】
しかし、精度管理を考慮した場合、３つの頂点部を有するカム部材と、３つの頂点部と摺接する内周面の孔を有するボス部材とを摺動摩擦力の調整のみで所望位に停止させること、さらに長期にわたり所望位置で停止するようにカム部材とボス部材の間隙を維持させることは至難であって、このような構成を備えたダンパ装置の製作は実際にはきわめて困難である。
【０００８】
本発明は上記実情に鑑みてなされたものであり、簡単な構成で、長期にわたって、本体部に対する蓋類の起立位置の保持と、本体部に対する蓋類の回動時の制動確保との両立を図ることができるダンパ装置を提供することを解決すべき技術課題とするものである。
【課題を解決するための手段】
【０００９】
上記課題を解決するためになされた請求項１の発明は、本体部を開閉可能な第１蓋類及び第２蓋類がそれぞれ起立した開状態から自重による傾倒により閉状態になる際に、該第１蓋類及び第２蓋類の傾倒スピードを遅くして緩衝作用を果たすダンパ装置において、
前記本体部に回動不能に取り付けられた、断面がほぼ円形状の内周面を持つ孔部を有するケースと、前記第１蓋類に回動不能に取り付けられるとともに該ケースに回動可能に保持されて該第１蓋類と一体的に回動する第１シャフトと、該第１シャフトの外周に回動不能に固定されるとともに該ケースの該孔部に回動可能に嵌挿された、ほぼ円筒状の外径の異なる複数段で形成された弾性材料よりなる第１クッションと、前記第２蓋類に回動不能に取り付けられるとともに該ケースに回動可能に保持されて該第２蓋類と一体的に回動する第２シャフトと、該第２シャフトの外周に回動不能に固定されるとともに該ケースの該孔部に回動可能に嵌挿された、ほぼ円筒状の外径の異なる複数段で形成された弾性材料よりなる第２クッションとを備えたことを特徴とするダンパ装置としたことである。
【００１０】
また上記課題を解決するにあたり請求項２のように、
本体部を開閉可能な蓋類が起立した開状態から自重による傾倒により閉状態になる際に、該蓋類の傾倒スピードを遅くして緩衝作用を果たすダンパ装置において、
前記本体部に回動不能に取り付けられた、断面がほぼ円形状の内周面を持つ孔部を有するケースと、前記蓋類に回動不能に取り付けられるとともに該ケースに回動可能に保持されて該蓋類と一体的に回動するシャフトと、該シャフトの外周に回動不能に固定されるとともに該ケースの該孔部に回動可能に嵌挿された、ほぼ円筒状の外径の異なる複数段で形成された弾性材料よりなるクッションを備え、
前記ケースは半径内方向に突出する内向き突出部ならびにストッパー壁面を前記孔部の内周面に有する一方、前記クッションは、比較的外径の大きい段部には半径外方向に突出する外向き突起部及び該外向き突起部に隣接して円周方向に外径が徐変する徐変作用面をまた、比較的外径の小さい段部には半径外方向に突出するストッパー外向き突起部及び該ストッパー外向き突起部に隣接して円弧状のストッパー円弧外周面をそれぞれ外周面に有することを特徴とするダンパ装置としたことである。
【００１１】
また上記技術課題を解決するに当たり請求項３のように、
本体部を開閉可能な第１蓋類及び第２蓋類がそれぞれ起立した開状態から自重による傾倒により閉状態になる際に、該第１蓋類及び第２蓋類の傾倒スピードを遅くして緩衝作用を果たすダンパ装置において、
前記本体部に回動不能に取り付けられた、断面がほぼ円形状の内周面を持つ孔部を有するケースと、前記第１蓋類に回動不能に取り付けられるとともに該ケースに回動可能に保持されて該第１蓋類と一体的に回動する外径の異なる複数段で形成された第１シャフトと、該第１シャフトの比較的外径の大きい段側の外周に軸の長手方向に沿って突起状に形成された第１ストッパー突起部と、該第１シャフトの比較的外径の小さい段側の外周面に回動不能に固定されるとともに該ケースの該孔部に回動可能に嵌挿された、ほぼ円筒状の弾性材料よりなる第１クッションと、
前記第２蓋類に回動不能に取り付けられるとともに該ケースに回動可能に保持されて該第２蓋類と一体的に回動する外径の異なる複数段で形成された第２シャフトと、該第２シャフトの比較的外径の大きい段側の外周に軸の長手方向に沿って突起状に形成された第２ストッパー突起部と、該第２シャフトの比較的外径の小さい段側の外周面に回動不能に固定されるとともに該ケースの該孔部に回動可能に嵌挿された、ほぼ円筒状の弾性材料よりなる第２クッションとを備え、
さらに前記ケースは半径内方向に突出する内向き突出部ならびに第１ストッパー壁面及び第２ストッパー壁面をそれぞれ前記孔部の内周面に有する一方、  前記第１クッションは、半径外方向に突出する第１外向き突起部及び該第１外向き突起部に隣接して円周方向に径が徐変する第１徐変作用面を有しまた、第１シャフトの比較的外径の大きい段側の外周面及び該外周面に相対する前記孔部の内周面とで形成されている一定の間隔を有した隙間には、板状の弾性材料よりなる第１ストッパーを該第１ストッパー壁面の側面に当接するようにして介在させるとともに、第２クッションは、半径外方向に突出する第２外向き突起部及び該第２外向き突起部に隣接して円周方向に径が徐変する第２徐変作用面を外周面に有しまた、第２シャフトの比較的外径の大きい段側の外周面及び相対する前記孔部の内周面とで形成されている一定の間隔を有した隙間には、板状の弾性材料よりなる第２ストッパーを該第２ストッパー壁面の回動方向の側面に当接するように介在させるようにしたことを特徴とするダンパ装置としたことである。
【００１２】
また上記技術課題を解決するに当たり請求項４のように、
本体部を開閉可能な蓋類が起立した開状態から自重による傾倒により閉状態になる際に、該蓋類の傾倒スピードを遅くして緩衝作用を果たすダンパ装置において、
前記本体部に回動不能に取り付けられた、断面がほぼ円形状の内周面を持つ孔部を有するケースと、前記蓋類に回動不能に取り付けられるとともに該ケースに回動可能に保持されて該蓋類と一体的に回動する外径の異なる複数段で形成されたシャフトと、該シャフトの比較的外径の大きい段側の外周に軸の長手方向に沿って突起状に形成されたストッパー突起部と、該シャフトの比較的外径の小さい段側の外周面に回動不能に固定されるとともに該ケースの該孔部に回動可能に嵌挿された、ほぼ円筒状の弾性材料よりなるクッションとを備え、
さらに前記ケースは半径内方向に突出する内向き突出部ならびにストッパー壁面を前記孔部の内周面に有する一方、前記クッションは、半径外方向に突出する外向き突起部及び該外向き突起部に隣接して円周方向に径が徐変する徐変作用面を有しまた、該シャフトの比較的外径の大きい段側の外周面及び該外周面に相対する前記孔部の内周面とで形成されている一定の間隔を有した隙間には、板状の弾性材料よりなるストッパーを前記ストッパー壁面の側面に当接するようにして介在させるようにしたことを特徴とするダンパ装置としたことである。
【００１３】
また上記技術課題を解決するに当たり請求項５のように、
前記第１ストッパー及び第２ストッパーをはじめとする各ストッパーは、シリコーンゴムなどの永久歪特性に優れる弾性材料で形成することが好ましい。  
【発明の効果】
【００１４】
請求項１または請求項２の発明によれば、
蓋類が起立して開状態にあるとき、本体部に回動不能に取り付けられたケースの孔部内周面に突設された内向き突起部と、蓋類と一体的に回動するシャフトの外周面に回動不能に固定されたクッション部の外周面に突設された外向き突起部とが係合することにより、本体部に対する蓋類の起立が確実に保持されるとともに、本体部に回動不能に取り付けられたケースの孔部内周面に突設されたストッパー壁面と、蓋類と一体的に回動するシャフトの外周面に形成されたストッパー外向き突起部とが、蓋類が閉状態まで回動できるようなシャフトの回動角を有するように周方向に対置される。
【００１５】
そして開状態にある蓋類が自重による傾倒により閉状態になる時、前記クッションの外周面に形成された回動する徐変作用面に、前記内向き突起部が摺接することにより、弾性材料よりなるクッションの徐変作用面が圧縮変形することで、回動の良好な緩衝作用を果たすとともに閉状態近傍で、前記シャフトの外周面に形成された弾性材料よりなるストッパー外向き突起部が、第１ストッパー壁面に当接することで、回動の良好なる制限作用をも果たすものである。
【００１６】
この結果、蓋類が長期にわたり閉じたままである場合、クッションの変形量が最大になるためクッションを構成する材料にへたりが生じて、内向き突起部と徐変作用面との摺接力の低下によって緩衝作用も低下し、蓋類の傾倒に対するダンパ効果が低下するおそれがあるが、そのような場合にも、前記シャフトの外周面に形成された弾性材料で形成されたストッパー外向き突起部が、ストッパー壁面に確実に当接して、回動の良好なる制限作用を果たすことができるため、蓋類が本体部に衝突する際に発生する不快な衝突音を、長期にわたって良好に防止することができる。
【００１７】
請求項３または請求項４の発明によれば、
シャフトの比較的外径の大きい段側の外周面及び相対する孔部の内周面とで形成されている一定の間隔を有した隙間において、本体部に回動不能に取り付けられたケースの孔部内周面に突設されたストッパー壁面と、蓋類と一体的に回動するシャフトの外周面に形成されたストッパー外向き突起部との間には、弾性材料で形成された板状のストッパーを、ストッパー壁面の回動方向の側面に当接するように介在させるとともに、ストッパーを介在させたストッパー外向き突起部とストッパー壁面とは、蓋類を閉状態にむけて回動するとき、閉状態まで回動できるような周方向の回動角を備えて対置されている。
【００１８】
この結果、蓋類を開状態から閉状態に傾倒させていく時、蓋類が長期にわたり閉じたままである場合、クッションの変形量が最大になるためクッションを構成する材料にへたりが生じて、内向き突起部と徐変作用面との摺接力の低下によって緩衝作用も低下し、蓋類の傾倒に対するダンパ効果が低下するおそれがあるが、そのような場合にも、前記シャフトの外周面に形成されたストッパー外向き突起部が、弾性材料よりなるストッパーを介して、ストッパー壁面に当接するようになっているので、該ストッパーの材質や形状を選定する中で、さらに回動の良好なる制限作用を果たして、蓋類が本体部に衝突する際に発生する不快な衝突音を、さらに一層効果的に、長期にわたって、良好に防止するができる。
【００１９】
請求項５の発明によれば、
ストッパーは、永久歪特性に優れるシリコーンゴムなどの弾性材料で形成されているので、形状とともに使用条件に応じた最適な特性を有するシリコーンゴムなどを選定する中で、シャフトの外周面に形成されたストッパー外向き突起部は、よりソフトに適切な状態でストッパー壁面に当接させることができるようになり、蓋類が本体部に衝突する際に発生する不快な衝突音を、よりソフトに長期にわたって、良好に防止するができる。
【発明を実施するための最良の形態】
【００２０】
以下、本発明に係わる実施の形態を、図面を参照しつつ具体的に説明する。
【００２１】
（第１実施形態）
本実施形態は、便器の便座及び便蓋用のダンパ装置に、本発明を適用したものである。
【００２２】
本実施形態のダンパ装置は、図４に示されるように、便器１に対する開閉可能な蓋類としての便座２及び便蓋３が、それぞれ起立した開状態から自重による傾倒により閉状態になる際に、便座２及び便蓋３の傾倒スピードを遅くして緩衝作用を果たすものである。
【００２３】
このダンパ装置は、図１、図２、図３に示されるように、合成樹脂製（又は金属製）ケース１０と、便座２と一体的に回動する合成樹脂製（又は金属製）の第１シャフト２０と、第１シャフト２０の外周面に回動不能に固定されたＥＰＤＭ（エチレンプロピレンゴム）などの弾性材料からなる第１クッション３０と、便蓋３と一体的に回動する合成樹脂製（又は金属製）の第２シャフト４０と、第２シャフト４０の外周面に回動不能に固定されたＥＰＤＭなどの弾性材料からなる第２クッション５０とを備えている。
【００２４】
図４に示されるように、便器１の後部上面にはカバー４が固定されており、このカバー４の便器幅方向のいずれか一方の端部に、上記ケース１０が図示しないボルトのより回動不能に取り付けられている。
【００２５】
このケース１０は、図１、図２に示されるように、断面略円形状の内周面をもつ孔部１０ａを有するケース本体１１と、このケース本体１１の軸方向一端（図１の左端。以下、同様）に嵌合固定されたケースエンド１２から構成されている。
【００２６】
そしてケース本体１１の軸方向他端（図１の右端。以下、同様）には、上記第１シャフト２０を回動可能に保持するケース本体側軸受け孔部１１ａが設けられており、ケースエンド１２には上記第２シャフト４０を回動可能に保持するケースエンド側軸受け孔部１２ａが設けられている。
【００２７】
第１シャフト２０は、円形断面の外周面を有する管状部材よりなり、軸方向一端側がケース１０内に挿入されてケース本体側軸受け孔部１１ａに回動可能に保持されるともに、軸方向他端側が便座２のヒンジ部（図示せず）に回動不能に嵌合により取り付けられている。
【００２８】
なお、第１シャフト２０の便座２との嵌合外面及び便座２の嵌合内面には、第１シャフト２０及び便座２の相対回動を確実に規制すべく、互いに整合して密接された一対の対向平坦面（二面巾、図示せず）がそれぞれ形成されている。
【００２９】
また、第１シャフト２０の外周面には、ケース本体１１に当接してケース１０に対する軸方向の相対移動を規制すべく、遠心方向に突出するケース側環状フランジ部２１が一体に形成されている。
【００３０】
この第１シャフト２０の軸方向一端側の外周面には、ケース１０の孔部１０ａ内に回動可能に嵌挿された、略円筒状の弾性材料（たとえばＥＰＤＭ：エチレンプロピレンゴムなど）よりなる上記第１クッション３０が嵌合などにより回動不能に固定されている。
【００３１】
第１クッション３０は、略円筒状の外径の異なる２段で形成され、図１に示すように、比較的外径の大きい略円筒状面を有する第１クッション大径部３０aと比較的外径の小さい略円筒状面を有する第１クッション小径部３０ｂとで一体的に形成されている。
【００３２】
なお第１クッション３０は、接着剤などにより第１シャフト２０の外周面に回動不能に固着されて、第１シャフトに対して、相対回動不能かつ軸方向の相対移動不能とされている。
【００３３】
第１クッション３０を第１シャフト２０に固着する手段としては、接着材の代わりに、焼き付けを採用してもよい。
【００３４】
第２シャフト４０は、円形断面の外周面を有して、軸方向一端側がケース１０内に挿入されてケースエンド側軸受け孔部１２ａに回動可能に保持されるとともに、軸方向他端側が便蓋３のヒンジ（図示せず）に回動不能に取り付けられている。
【００３５】
なお第２シャフト４０の便蓋３との嵌合外面及び便蓋３の嵌合内面には、第２シャフトの４０及び便蓋３の相対運動を確実に規制すべく、互いに整合して密接された一対の対向平坦面（二面巾、図示せず）がそれぞれ形成されている。
【００３６】
また、第２シャフト４０の外周面には、上記第１シャフト２０の軸方向一端が当接して、ケース１０に対する第１シャフト２０及び第２シャフト４０の軸方向の相対移動を規制すべく、遠心方向に突出する環状フランジ部４１が一体に形成されている。
【００３７】
ここに第２シャフト４０は、環状フランジ部４１よりも軸方向他端側が、上記第１シャフト２０の内径よりも若干小さな外径を有する摺動外周面４４とされており、この摺動外周面４４に、第１シャフト２０が相対回動可能に外装されている。
【００３８】
この第２シャフト４０の軸方向一端側の外周面には、ケース本体１１の孔部１０ａ内に回動可能に嵌挿された、ほぼ円筒状の弾性材料（たとえばＥＰＤＭ：エチレンプロピレンゴムなど）よりなる上記第２クッション５０が嵌合などにより回動不能に固定されている。
【００３９】
第２クッション５０は、略円筒状の外径の異なる２段で形成され、図１に示すように、比較的外径大きい略円筒状面を有する第２クッション大径部５０aと比較的外径の小さい略円筒状面を有する第２クッション５０ｂとで一体的に形成されている
なお第２クッション５０は、接着剤により第２シャフト４０の外周面に回動不能固着されて、第２シャフトに対して、相対回動不能かつ軸方向の相対移動不能とされているが、固着する手段としては、接着材の代わりに、焼き付けを採用してもよい。
【００４０】
そして、図１、図２、図３に示されるように、ケース本体１１の孔部１０ａ内周面において、第１クッション大径部３０ａと相対する孔部１０ａ内周面は、軸方向に平行で半径内方向に突出する３個の内向きの第１内向き突起部１３、１３、１３が周方向に等間隔で突設されとともに、各第１内向き突起部１３、１３、１３の間に、該突起部の周方向における巾部の長さを除いた、略１／３周弱の円弧長を有する３個の第１円弧内周面１４、１４、１４で構成される。
【００４１】
また、前記第１クッション小径部３０ｂと相対する孔部１０ａ内周面は、軸方向に平行で半径内方向に突出する２個の内向きの第１ストッパー壁面１０２，１０２が径方向に対向して（周方向に等間隔で）突設されるとともに、各第１ストッパー壁面１０２，１０２に隣接して、該第１ストッパー壁面１０２，１０２の周方向における巾部の長を除いた略１／２周弱の円弧長を有する２個の第１ストッパー円弧内周面１０４，１０４で構成される。
【００４２】
第１ストッパー壁面１０２，１０２には、径方向に対向して向き合う面が、第１クッション小径部３０ｂに形成されている第１ストッパー円弧外周面１０５、１０５の円弧面と一定の間隔を有して相対するように、内向きの円弧面を備えた第１ストッパー壁面円弧内周面１０６、１０６が形成されている。
【００４３】
なおこれらケース本体１１の孔部１０ａ内周面に形成された、軸方向に平行に形成される突起部１３，１３，１３及び第１ストッパー壁面１０２，１０２はいずれも、相対する前記第１クッション３０の第１クッション大径部３０ａ及び第１クッション小径部３０ｂそれぞれの軸方向長さに対応して、ケース本体１１の軸方向に連続して伸びている。
【００４４】
第１クッション大径部３０ａの外周面には、軸方向に平行で半径外方向に突出する３個の第１外向き突起部３２，３２，３２が周方向に等間隔で突設されるとともに、各第１外向き突起部３２，３２，３２に隣接して円周方向に径が徐変する３個の第１徐変作用面３３，３３、３３及び、第１円弧外周面３５、３５、３５が形成されている。
【００４５】
この第１徐変作用面３３の外径は、第１外向き突起部３２との境界部分で最小となり、この最小部分から図２の時計回り方向（矢印Ｗ１方向）に向かって徐々に増大している。
【００４６】
また、第１クッション大径部３０ａの外周面には、第１外向き突起部３２、３２、３２と係合状態にある前記第１内向き突起部１３，１３，１３とそれぞれ凹凸嵌合する３個の第１係合凹部３４，３４，３４が形成されている。
【００４７】
また、各第１徐変作用面３３，３３、３３はそれぞれ１／４周弱、円周方向に延びており、残りの範囲には前記各第１円弧内周面１４，１４，１４と円周方向に一定の隙間で対向する第１円弧外周面３５，３５，３５が形成されている。
【００４８】
第１クッション小径部３０ｂ外周面には、軸方向に平行で半径外方向に突出する２個の第１ストッパー外向き突起部１０１、１０１が、径方向に対向して（周方向に等間隔で）で突設されるとともに、該各第１ストッパー外向き突起部１０１、１０１に隣接して、前記第１ストッパー壁面円弧内周面１０６の円弧径より小さい円弧径を有する、２個の第１ストッパー円弧外周面１０５，１０５が形成されている。
【００４９】
第１ストッパー外向き突起部１０１、１０１は、該外向き突起部外周面側に、前記第１ストッパー円弧内周面１０４、１０４と、円周方向に一定の間隔をもって相対する円弧状の第１ストッパー外向き突起部外周面１０７、１０７を有するとともに、第１ストッパー外向き突起部１０１、１０１を反時計回り方向に回動させて、便座２を開状態から閉状態にする時には、前記第１ストッパー壁面１０２、１０２の側面に当接して、該回動を制限するような突起高さに形成されている。
【００５０】
第１ストッパー円弧外周面１０５、１０５は、前記第１ストッパー円弧内周面１０４、１０４とは、周方向に比較的大きい一定の間隔をもって相対するとともに、前記第１ストッパー壁面円弧内周面１０６、１０６とは、周方向に比較的小さい一定の間隔をもって相対するように形成されて、第１ストッパー外向き突起部１０１、１０１を回動させるときに、各円弧内周面とは、接触しないように形成される。
【００５１】
第１ストッパー円弧外周面１０５、１０５は、軸の長手方向に平行に突設された第１ストッパー外向き突起部１０１、１０１の円周方向の巾部長さを除いて略１／２周弱の円弧長を有する２個の第１ストッパー円弧外周面１０５，１０５として構成される。
【００５２】
つぎに第１外向き突起部３２及び第１徐変作用面３３及び第１円弧外周面３５を備えた第１クッション大径部３０ａと、第１ストッパー外向き突起部１０１を備えた第１クッション小径部３０ｂとの、回動する周方向における各部位の相対位置関係は、図２、図３に示めすように、第１外向き突起部３２が、ケース孔部１０ａ側の第１内向き突起部１３と係合して便座２が開状態にあるときに、第１ストッパー外向き突起部１０１が反時計回り方向に回動して、第１ストッパー壁面１０２に当接するまでに回転可能な角度は、略１１０度となるように構成されるとともに、いま係合が解除されて、開状態にある便座２が自重などによる傾倒により閉状態に向かう時には、第１ストッパー外向き突起部１０１は、第１シャフト２０と一体的に軸心Ｐの回りで、第１クッション大径部３０ａと同時に図３の反時計回りに回動する。
【００５３】
すなわちこの図３における、便座２（または便蓋３）が起立して、開状態にあるときには、第１ストッパー外向き突起部１０１が反時計回りに回動して、第１ストッパー壁面１０２と当接するまでに回動する角度は、軸心Ｐの回りに対してほぼ１１０度となるように、第１ストッパー外向き突起部１０１と第１ストッパー壁面１０２との相対位置関係が構成されて、開放している便座２を閉状態に向けて回動させるときに必要とする便座２の回動角度の約１１０度と対応させている。
【００５４】
また、第２クッション大径部５０ａと第２クッション小径部５０ｂで形成される第２クッション５０の外周面にも、第１クッション大径部３０ａと第１クッション小径部３０ｂ同様、第２クッション大径部５０ａの外周面は、周方向に等間隔で突設された３個の第２外向き突起部と、各第２外向き突起部に隣接して円周方向に径が徐変する３個の第２徐変作用面と、各第２外向き突起部とそれぞれ係合状態にある３個の第２内向き突起部と凹凸嵌合する３個の第２係合凹部と、周方向に等間隔で形成された３個の第２円弧内周面から構成され、また、第２クッション小径部３０ｂ外周面には、径方向に対向する（周方向に等間隔で）突設された２個の第２ストッパー外向き突起部が形成されている。
【００５５】
上記のように構成されたダンパ装置について，ケース孔部１０ａの第１クッション３０ａ大径部と相対する内周面と、第１クッション大径部３０ａ（または第２クッション５０ａ）で構成される部位の作用を、図１、図２によって以下に説明する。
【００５６】
便座２（または便蓋３）が起立して開状態にある時、便器１に回動不能に取り付けられたケース１０内において、ケース孔部１０ａの第１クッション大径部３０ａ（または第２クッション５０ａ）と相対する内周面に突設された、３個の第１内向き突起部１３、１３、１３と、便座２（または便蓋３）と一体的に回動する第１シャフト２０（または第シャフト４０）の外周面に回動不能に固定された第１クッション大径部３０ａ（または第２クッション５０ａ）の外周面に突設された３個の第１外向き突起部３２、３２、３２（または第２外向き突起部）とが、それぞれ係合することにより、便器１に対する便座２（または便蓋３）の起立状態が確実に保持される（図２に示す状態）。
【００５７】
そして開状態にある時の第１クッション大径部３０（または第２クッション５０）が、自重による傾倒により回動して閉状態に向かう時、すなわち第１内向き突起部１３（または第１内向き突起部）及び第１外向き突起部３２（または第２外向き突起部）の係合を解除する方向に、便座２（または便座３）を付勢することにより、便座２（または便座３）を便器１側に傾倒させる時には、便座２（または便蓋３）とともに、第１シャフト２０（または第２シャフト４０）及び第１クッション大径部３０ａ（または第２クッション大径部５０ａ）が一体的に反時計回りに方向（矢印Ｗ２方向）に回動し、ＥＰＤＭなどの弾性材料で形成された第１クッション大径部３０ａ（または第２クッション大径部５０ａ）の各外向き突起部３２，３２、３２が、ケース１０の各内向き突起部１３、１３、１３を乗り越えて係合が解除される。
【００５８】
そうすると、便座２（または便座３）は、自重による重力により、便器１（または便座３）へ傾倒していくが、この時、図２の反時計回り方向（矢印Ｗ２方向）に回転する、ＥＰＤＭなどの弾性材料で形成された第１クッション大径部３０ａ（または第２クッション大径部５０ａ）の３個の第１徐変作用面３３、３３、３３（または第２徐変作用面）が３個の内向突起部１３，１３，１３にそれぞれ摺接する。
【００５９】
この第１徐変作用面３３、３３、３３（または第２徐変作用面）の外径は、図２の時計回り方向（矢印Ｗ１方向）に向かって徐々に増大していることから、第１徐変作用面３３、３３、３３（または第２徐変作用面）が、図２の反時計回り方向（矢印Ｗ２方向）に回動するにしたがって、内向き突起部１３、１３、１３及び第１徐変作用面３３、３３、３３（または第２徐変作用面）相互間で作用する押圧力や摺接抵抗が増大する。
【００６０】
こうして、ＥＰＤＭなどの弾性材料で形成された第１クッション大径部３０ａ（または第２クッション大径部５０ａ）の３個の第１徐変作用面３３、３３、３３（または第２徐変作用面）がそれぞれ圧縮、変形することで良好な緩衝作用を果たす。
【００６１】
この良好な緩衝作用により、便座２を開状態から閉状態にむけて回動させる時、該便座２（または弁蓋３）の傾倒スピードが遅くなり、便座２（または便座３）が便器１に衝突する際に発生する不快な衝突音を防止することが出来る。
【００６２】
つぎに、ケース孔部１０ａの、第１クッション小径部３０ｂ（または第２クッション小径部５０b）と相対する内周面部と、該第１クッション小径部３０ｂ（または第２クッション小径部５０ｂ）で構成される部位の作用を、図１、図２、図３によって以下に説明する。
【００６３】
図２は、上記したように、ケース孔部１０ａ内周面に突設された３個の第１内向き突起部１３、１３、１３と、第１クッション大径部３０ａの外周面に突設された３個の第１外向き突起部３２、３２、３２との係合により、第１シャフト２０と一体的に回動する便座２（または便蓋３）が起立して、開状態にあることを示すが、第１シャフト２０の軸心をＰとしたとき、均等間隔（角度１２０）で形成されている第１外向き突起部３２、３２、３２は、閉状態に向けては、軸心Ｐの回りで、第１シャフト２０を、反時計回り方向（矢印Ｗ２方向）に回動させる。
【００６４】
図３は、図２で示した、第１シャフト２０と一体的に回動する便座２（または便蓋３）が起立して開状態にあるときの、ケース孔部１０ａの第１クッション小径部３０ｂ（または第２クッション小径部５０b）と相対する内周面に突設された２個の第１ストッパー壁面１０２，１０２と、第１クッション小径部３０ｂの外周面に突設された２個の第１ストッパー外向き突起部１０１，１０１との回動方向の相対位置関係を示す。
【００６５】
すなわちこの図３に示す、便座２（または便蓋３）が起立して開状態にある時には、第１ストッパー外向き突起部１０１が、反時計回り方向に回動して第１ストッパー壁面１０２との当接するまでに回動する角度は、軸心Ｐの回りに対してほぼ１１０度となるように、第１ストッパー外向き突起部１０１と第１ストッパー壁面１０２との相対位置関係が構成されて、開放している便座２を閉じる方向（反時計回り方向）に回動させるときに必要とする、便座２の回動に必要な角度の約１１０度と対応させている。
【００６６】
したがっていま、開状態にある便座２に対して、ケース孔部１０ａの内周面に形成された３個の第１内向き突起部１３、１３、１３と第１クッション大径部３０ａに形成された３個の第１外向き突起部３２、３２、３２との係合を解除して、閉状態にむけて、重力などによる傾倒により、第１シャフト２０と一体的に、軸心Ｐの回りで図３の反時計回り方向に、略１１０度回動させて緩衝作用を行っていく時には、第１クッション小径部３０ｂに形成された、第１ストッパー外向き突起部１０１も、第１シャフト２０と一体的に同時に反時計回り方向に回動していく。
【００６７】
この回動にともない、ＥＰＤＭなどの弾性材料で形成された第１ストッパー外向き突起部１０１が、反時計回り方向に回動して第１ストッパー壁面１０２と当接するまでに回動する角度は、第１クッション小径部３０ｂの回動する角度と同じく、略１１０度となるように相対位置関係が構成されているので、第１クッション大径部３０ａにおける緩衝作用の終了時には、第１ストッパー外向き突起部も、第１ストッパー壁面１０２に当接して回動の良好な制限作用が行なわれる。
【００６８】
以上のように本実施形態によれば、上記の便座２を付勢することにより便座２を便器１に傾倒させて緩衝作用を行なう第１シャフトの回動にあわせて、ケース本体１１のケース孔部１０内の第１ストッパー壁面１０２、１０２に対して、第１クッション小径部３０ｂに形成された２個の第１ストッパー外向き突起部１０１、１０１を反時計回り方向に回動させ、便座が便器に対して閉状態近傍に至る時、弾性材料で形成された該２個の第１ストッパー外向き突起部１０１、１０１が、第１ストッパー壁面１０２、１０２に当接することにより、良好な第１シャフトの回動制限作用を行なう。
【００６９】
この良好な回動の制限作用により、便座２を開状態から閉状態にむけて回動させる時、上記の緩衝作用が材料のへたりなどによって十分に行われなくなった時においても、便座２（または便蓋３）が便器に衝突する際に発生する不快な衝突音を防止することができる。
【００７０】
たとえば、使用者の長期旅行などで長期間、便座２（または便座２）が閉じたままの維持されている場合には第１クッション大径部３０ａの変形量が最大となるので、該第１クッション大径部３０ａを構成するこの部位の材料にへたりが生じるおそれがある。
【００７１】
この場合、便座２（便蓋３）を便器１側に傾倒させるとき、第１内向き突起部１３、１３、１３と第１徐変作用面３３，３３，３３との間の摺接力が低下し、この結果、ダンパ装置を設けているといえども、便座２（便器３）の傾倒に対するダンパ効果が低下するおそれがある。
【００７２】
この結果、傾倒スピードが速くなり、極端な場合には、便座２（便蓋３）が便器１に衝突する音が、第１クッション大径部３０ａにへたりが生じる前より大幅に大きくなるおそれがある。
【００７３】
本実施形態によれば、使用者に長期旅行などで便座が長い時間閉じたまま維持されて、第１クッション大径部３０ａの第１徐変作用面や第１円弧外周面に、このようなへたりが生じて緩衝作用が低下してきた場合にも、第１シャフト２０を回動させて便座を閉状態にする時に、弾性材料で形成された第１ストッパー外向き突起部１０１をケース孔部１０に形成された第１ストッパー壁面１０２に当接させることにより、回動をソフトに停止させるようにして、長期にわたって、緩衝作用を維持するとともに、衝突音を確実に緩和することが出来る。
【００７４】
便蓋３と一体的に回動する第２クッション大径部５０ａに形成された第２外向き突起部と、孔部１０ａ内に形成された内向き突起部との係合関係及び、第２クッション大径部５０ｂに形成された第２ストッパー外向き突起部と、孔部１０ａ内に形成された第２ストッパー壁面との当接関係についても、上記と同じような構成および作用にあるので、説明は省略する。
【００７５】
また、前記内向き突起部１３と前記第１外向き突起部３２との係合により前記本体部１に対する前記蓋類（便座２または便蓋３）の開状態となる起立位置を保持せしめ、両該突起部の係合解除方向に該蓋類を付勢することにより該蓋類を閉状態に向けて該本体部１側に傾倒させて行く時、該内向き突起部１３が回動する前記第１徐変作用面３３と摺接することにより緩衝作用をなし、さらに該蓋類が自重で回動することにより該蓋類を閉状態近傍となる位置まで該本体部１側に傾倒した時、前記第１ストッパー壁面１０２が回動する前記第１ストッパー外向き突起部１０１と当接することにより該蓋類の回動を制限する作用をなすようにした一つまたは複数に構成されたダンパ装置においても、それぞれのダンパ装置ごとでは、上記と同じような構成、作用にあるので、説明は省略する。
【００７６】
(第２実施形態)
本実施形態は、第１クッション大径部３０ａと第１クッション小径部３０ｂとが一体的に形成された構成にある、第１実施形態における第１クッション３０に対して、該第１クッション大径部３０ａと該第１クッション小径部３０ｂとを、別体化して形成された構成にあるダンパ装置に係わるもので、以下、図５、図６、について、図１、図２で示した同じ部位については、同一の符号で示めすとともに、基本的には同様の構成、作用を有するので説明を省略し、異なる部分を中心として、以下に具体的に説明する。
【００７７】
本実施形態のダンパ装置は、図５、図６に示されるように、ケース孔部１０ａを備えたケース１０と、便座２と一体的に回動する比較的外径の小さい第１シャフト小径部２０ａ部及び、比較的外径の大きい第１シャフト大径部２０ｂとが一体的に形成された第１シャフト２０と、第１シャフト小径部２０ａの外周面に回動不能に固定された第１クッション大径部３０ａと、第１シャフト大径部２０ｂの外周面に軸方向に平行で半径方向に突出するように形成された分離型第１ストッパー外向き突起部２０１と、ケース孔部１０ａ内周面及び該ケース孔部１０ａ内周面と所定の間隔を有して相対する第１シャフト小径部２０ｂ内周面との間に介在させた第１ストッパー２０３と、
便蓋３と一体的に回動する比較的外径の小さい第２シャフト小径部４０ａ部及び、比較的外径の大きい第２シャフト大径部４０ｂとで一体的に形成された第２シャフト４０と、第２シャフト小径部４０ａの外周面に回動不能に固定された第２クッション大径部５０ａと、第２シャフト大径部４０ｂの外周面に軸方向に平行で半径方向に突出するように形成された分離型第２ストッパー外向き突起部４０１と、ケース孔部１０ａ内周面及び該ケース孔部１０ａ内周面と所定の間隔を有して相対する第２シャフト大径部４０ｂ内周面の間に介在させた第２ストッパー４０３とを備えたダンパ装置である。
【００７８】
ケース１０は、断面略円形状の内周面を有するケース孔部１０ａを備えたケース本体１１と、このケース本体１１の軸方向一端（図１の左端。以下、同様）に嵌合固定されたケースエンド１２から構成されている。
【００７９】
そしてケース本体１１の軸方向他端（図１の右端。以下、同様）には、上記第１シャフト２０を回動可能に保持するケース本体側軸受け孔部１１ａが設けられており、ケースエンド１２には、前記第２シャフト４０を回動可能に保持するケースエンド側軸受け孔部１２ａが設けられている。
【００８０】
第１シャフト２０は、円形断面の外径の異なる外周面を有し、比較的外径の小さい第１シャフト小径部２０ａと、比較的外径の大きい第１シャフト大径部２０ｂとを有する管状部材よりなり、該第１シャフト小径部２０ａと該第１シャフト大径部２０ｂとを一体的に備えた軸方向一端側が、ケース１０内に挿入されて、ケース本体１１のケース本体側軸受け孔部１１ａに、回動可能に保持されるとともに、軸方向他端側が、便座２のヒンジ（図示せず）に回動不能の嵌合により取り付けられている。
【００８１】
第１シャフト小径部２０ａの外周面には、ケース１０のケース孔部１０ａ内に回動可能に嵌挿された、略円筒状の弾性材料（たとえばＥＰＤＭ：エチレンプロピレンゴムなどの弾性体）よりなる上記第１クッション大径部３０ａが、接着剤や焼付けを使用した固着嵌合などにより、回動不能に固定されている。
【００８２】
第２シャフト４０は、円形断面の外径の異なる外周面を有し、比較的外径の小さい第２シャフト小径部４０ａと、比較的外径の大きい第２シャフト大径部４０ｂとで形成され、軸方向一端側がケース１０内に挿入されてケースエンド側軸受け孔部１２ａに回動可能に保持されるとともに、軸方向他端側が便蓋３のヒンジ（図示せず）に回動不能に取り付けられている。
【００８３】
また、第２シャフト小径部４０ａの外周面には、上記第１シャフト２０の軸方向一端が当接して、ケース１０に対する第１シャフト２０及び第２シャフト４０の軸方向の相対移動を規制すべく、遠心方向に突出する環状フランジ部４１が、一体に形成されている。
【００８４】
ここに第２シャフト小径部４０ａは、環状フランジ部４１よりも軸方向他端側では、上記第１シャフト２０の内径よりも若干小さな外径を有する摺動外周面４４を有するように形成されており、この摺動外周面４４に、第１シャフト２０が相対回動可能に外装されている。
【００８５】
この第２シャフト小径部４０ａの外周面には、ケース１０のケース孔部１０ａ内に回動可能に嵌挿された、ほぼ円筒状の弾性材料（たとえばＥＰＤＭ：エチレンプロピレンゴムなど）よりなる上記第２クッション大径部５０ａが、接着剤や焼付けを使用した嵌合などにより回動不能に固定されている。
【００８６】
ケース１０のケース孔部１０ａ内周面においては、第１クッション大径部３０ａと相対する内周面には、軸方向に平行で半径内方向に突出する３個の内向きの第１内向き突起部１３、１３、１３が、周方向に等間隔で突設されとともに、各第１内向き突起部１３、１３、１３相互間に、該突起部の円周方向の巾部の長さを除いた略１／３周弱の円弧長を有する、３個の第１円弧内周面１４、１４、１４が構成される。
【００８７】
また、前記第１シャフト大径部２０ｂと相対するケース孔部１０ａ内周面には、軸方向に平行で半径内方向に突出する、２個の内向きの分離型第１ストッパー壁面２０２，２０２が、径方向に対向して（周方向に等間隔で）突設されるとともに、各分離型第１ストッパー壁面２０２，２０２に隣接して、該分離型第１ストッパー壁面２０２，２０２の円周方向の巾部の長さを除いた略１／２周弱の円弧長を有する、２個の分離型第１ストッパー円弧内周面２０４、２０４が形成されている。
【００８８】
分離型第１ストッパー壁面２０２，２０２には、径方向に対向して形成される面が、第１シャフト大径部２０ｂの外周面を形成する分離型第１ストッパー円弧外周面２０５、２０５と一定の間隔を有して相対するように、内向きの円弧面を備えた円弧状の分離型第１ストッパー壁面円弧内周面２０６、２０６が形成されている。
【００８９】
なおこれらケース１０の孔部１０ａ内周面に形成された、突起部１３，１３，１３及び壁面２０２，２０２はいずれも、相対する前記第１クッション大径部３０ａ及び第１シャフト大径部２０ｂそれぞれの軸方向長さに対応して、ケース本体１１の軸方向に連続して伸びている。
【００９０】
第１シャフト小径部２０ａに、嵌合固着された第１クッション大径部３０ａの外周面は、第１実施形態と同じように、周方向に等間隔で突設された３個の第１外向き突起部３２，３２，３２と、周方向に等間隔で形成された３個の第１徐変作用面３３、３３，３３と、周方向に等間隔で形成された３個の第１係合凹部３４，３４，３４と、周方向に等間隔で形成された３個の第１円弧外周面３５，３５，３５から構成されている。
【００９１】
また第１シャフト大径部２０ｂの外周面には、図５、図６に示すように、軸方向に平行で半径外方向に突出する２個の分離型第１ストッパー外向き突起部２０１、２０１が、径方向に対向して（周方向に等間隔で）突設されるとともに、該各分離型第１ストッパー外向き突起部２０１，２０１に隣接して、前記分離型第１ストッパー壁面円弧内周面２０４の円弧径より小さい円弧径を有する、２個の分離型第１ストッパー円弧外周面２０５、２０５が形成されている。
【００９２】
分離型第１ストッパー外向き突起部２０１、２０１は、該外向き突起部の外周面側に、前記分離型第１ストッパー円弧内周面２０４、２０４と、円周方向に一定の間隔をもって相対する円弧状の分離型第１ストッパー外向き突起部外周面２０７、２０７を有するとともに、該各分離型第１ストッパー外向き突起部２０１、２０１は、第１シャフト大径部２０ｂとともに、第１シャフト２０の軸心Ｐを中心に反時計回り方向に所定の角度、回動させて便座２を開状態から閉状態にする時に、前記分離型第１ストッパー壁面２０２、２０２の側面に当接して、第１シャフト２０の回動を制限できるような突起高さに形成されている。
【００９３】
第１シャフト大径部２０ｂに形成された、分離型第１ストッパー円弧外周面２０５、２０５は、ケース孔部１０ａに形成された前記分離型第１ストッパー円弧内周面２０４、２０４に対して、円周方向に比較的大きい一定の間隔をもって相対するとともに、前記分離型第１ストッパー壁面円弧内周面２０６、２０６とは、円周方向に比較的小さい一定の間隔をもって相対するように形成されて、分離型第１ストッパー外向き突起部２０１、２０１を、第１シャフト大径部２０ｂとともに回動させるときに、それぞれ各円弧内周面同志が接触しないように形成される。
【００９４】
また分離型第１ストッパー円弧外周面２０５、２０５は、該軸の長手方向に平行に突設された分離型第１ストッパー外向き突起部２０１、２０１の円周方向の巾部の長さを除いて、略１／２周弱の円弧長を有する２個の分離型第１ストッパー円弧外周面２０５，２０５として構成される。
【００９５】
分離型第１ストッパー円弧外周面２０５、２０５と相対する分離型第１ストッパー円弧内周面２０４、２０４との間に一定の間隔を有して形成された空間部には、分離型第１ストッパー円弧外周面２０５及び、分離型第１ストッパー円弧内周面２０４それぞれと周方向において摺接する円弧面状の摺接面を有するとともに、分離型第１ストッパー壁面及び分離型第１ストッパー外向き突起部それぞれと周方向において当接する平面状の当接面を有するスペーサ状に形成された第１ストッパー２０３を介在させている。
【００９６】
第１ストッパー２０３は、永久歪特性にすぐれた、たとえばシリコーンゴムなどに代表される弾性材料で形成されている。
【００９７】
したがっていま、開放している便座２を閉状態に向けて、第１シャフト２０の軸心Ｐを中心とする周方向に回動させるときに必要とする便座２の回動角度を略１１０度とすると、第１シャフト２０を周方向に１１０度回動させて便座２を閉状態にした時には、第１ストッパー２０３は、分離型第１ストッパー壁面及び分離型第１ストッパー外向き突起部によって周方向に圧縮されて、この圧縮にともない便座２の良好な緩衝作用が得られるようになっている。
【００９８】
すなわち今、第１ストッパー２０３は、たとえばシリコーンゴムで形成され、分離型第１ストッパー円弧外周面２０５及び分離型第１ストッパー円弧内周面２０４それぞれと第１シャフト２０の回動時に周方向において摺接する円弧面状の摺接面の巾長さは、第１シャフト２０の軸心Ｐを中心とする周方向において、約３０度の角度の巾を有する大きさに形成されているとする。
【００９９】
シリコーンゴムは、特に永久歪特性にすぐれており、たとえば１／２まで圧縮・変形できるものでは、便座２の開状態から閉状態に向けて第１シャフト２０を、軸心Ｐを中心として反時計回り方向への回動させて閉状態時にする時までに、このシリコーンゴム製第１ストッパーの場合、分離型第１ストッパー外向き突起部が分離型第１ストッパー壁面に当接する前に有する約３０度の角度の周方向巾長さから、約１５度の角度の周方向巾長さ程度まで、圧縮・変形させた状態で、回動を停止させることができる。
【０１００】
すなわち、弾性にとむシリコーンゴム製第１ストッパー２０３を、分離型第１ストッパー壁面２０２と、分離型第１ストッパー外向き突起部２０１の間に介在させた場合における、第１外向き突起部３２及び、第１徐変作用面３３及び、第１円弧外周面３５を備えた第１クッション大径部３０ａと、分離型第１ストッパー外向き突起部２０１及び、分離型第１ストッパー円弧外周面２０５を備えた第１シャフト大径部２０ｂとの、回動方向における相対的な位相の関係は、図２、図３に示すように、第１外向き突起部３２が、第１内向き突起部１３と係合して便座２が開状態にある時には、分離型第１ストッパー外向き突起部２０１が、分離型第１ストッパー壁面２０２に対して、回動方向に略（１１０度＋１５度）の回動するように構成されている。
【０１０１】
この結果、開状態にある便座２に対して、第１クッション大径部３０ａ側の第１外向き突起部３２と第１内向き突起部１３との係合が解除されて、第１シャフト２０と一体的に軸心Ｐの回りで反時計回りに回動して閉状態に向かう時には、第１シャフト大径部２０ｂ側の分離型第１ストッパー外向き突起部２０１も同時に反時計回りに回動して、第１クッション大径部３０ａ側による、良好な緩衝作用を行わしめると同時に、第１シャフト大系部２０ｂ側による、良好な緩衝作用と良好なる回転制限作用とが同時にえられる。
【０１０２】
なお、便蓋３と一体的に回動する第２クッション大径部５０ａに形成された第２外向き突起部及び第２徐変作用面及び第２円弧外周面と、孔部１０ａ内に形成された第２内向き突起部との係合関係及び、第２シャフト大径部５０ｂに形成された分離型第２ストッパー外向き突起部と、孔部１０ａ内に形成された分離型第２ストッパー壁面と第２ストッパーを介した当接関係についても、上記と同じような構成にあるので、説明は省略する。
【０１０３】
つぎに、上記のように構成されたダンパ装置について，以下に作用を具体的に説明する。
【０１０４】
まず第１クッション３０ａ（または第２クッション５０ａ）側では、第１実施形態で説明したように、第１クッション３０ａ外周面に形成された３個の第１外向き突起部３２と、ケース孔部１０ａ内周面に形成された第１内向き突起部１３それぞれとの係合により、便器１に対する便座２の起立位置を確実に保持せしめる一方、内向き突起部１３及び第１外向き突起部３２の解除方向に、便座２を付勢するとともに自重により便座２を便器１に傾倒させた時、３個の内向き突起部１３、１３、１３が、回動する３個の第１徐変作用面３３，３３、３３とそれぞれ摺接することにより良好な第１シャフトの緩衝作用を行なう。
【０１０５】
この結果、便座２を開状態から閉状態にむけて回動させる時、該便座２（または弁蓋３）の傾倒スピードが遅くなり、便座２（または便座３）が便器１に衝突する際に発生する不快な衝突音を防止することが出来る
つぎに、第１シャフト大径部２０ｂ（または第２シャフト大径部４０b）側の作用を、図２、図５、図６、によって以下に説明する。
【０１０６】
まず第１実施形態で説明したように、図２は、便座２が起立した状態の時の、第１外向き突起部３２を備えた第１クッション大径部３０ａと、内向き突起部１３を備えたケース孔部１０ａとの回動方向における相対位置関係を示すもので、３個の内向き突起部１３、１３、１３と、３個の第１外向き突起部３２、３２、３２との係合により、第１シャフト２０と一体的に回動する便座２（または便蓋３）が起立して、開状態にあり、この状態から閉状態に向けては、第１シャフト２０の軸心Ｐの回りで、均等間隔（角度１２０）で形成された第１外向き突起部３２、３２、３２を備えた第１シャフト２０を、反時計回り方向（矢印Ｗ２方向）に回動させる。
【０１０７】
図６は、第１シャフト２０と一体的に回動する便座２（または便蓋３）が、上記のように起立して開状態にあるときの、第１シャフト大径部２０ｂ（または第２シャフト大径部４０b）外周面と相対するケース孔部１０ａの内周面に突設された２個の分離型第１ストッパー壁面２０２，２０２と、第１シャフト大径部２０ｂの外周面に突設された２個の分離型第１ストッパー外向き突起部２０１，２０１との、回動方向の位相の相対関係及び、分離型第１ストッパー円弧外周面２０５、２０５と相対する分離型第１ストッパー円弧内周面２０４、２０４との間に介在させた、シリコーンなどの弾性材料で形成された２個の第１ストッッパー２０３の相対位置関係を示す。
【０１０８】
２個の第１ストッッパー２０３は、永久歪特性にすぐれて略１／２程度まで圧縮・変形するシリコーンゴムで形成されて、便座２（または便蓋３）が起立して開状態にあるとき、第１シャフト大径部２０ｂの外周面に突設された、２個の分離型第１ストッパー外向き突起部２０１，２０１との、回動方向の位相の相対位置関係は、分離型第１ストッパー外向き突起部２０１，２０１が、分離型第１ストッパー壁面２０２，２０２に対して、第１シャフト２０の軸心Ｐの回りで反時計回り方向に，便座２（または便蓋３）が開状態から閉状態に至るまでの回動角度の略１１０度に、第１ストッパー２０３が圧縮・変形されたあとの約１５度の周方向巾長さ程度を加えた程度の回動ができるように配置されている。
【０１０９】
なお上記略１１０度は、開放している便座２を、閉じる方向（反時計回り方向）に回動させるときに必要とする角度でありまた、略１５度は、第１ストッパー２０３が、便座２の閉状態時まで圧縮・変形された後の、軸心Ｐを中心とする周方向における摺接面の巾部長の大きさを示す角度である。
【０１１０】
今、開状態にある便座２（または便蓋３）を閉状態にむけて、第１シャフト２０を反時計回り方向に回動させていくと、第１シャフト小径部２０ａに嵌合固着された第１クッション大径部３０ａに形成された、３個の内向き突起部１３、１３、１３と３個の第１外向き突起部３２、３２、３２との係合を解除して、閉状態にむけて、重力などによる傾倒により、第１シャフト２０と一体的に、軸心Ｐの回りで図３の反時計回り方向に回動するとともに、第１シャフト大径部２０ｂに形成された、２個の分離型第１ストッパー外向き突起部２０１，２０１も、第１シャフト小径部２０ａと一体的に同時に、反時計回り方向に回動して、便座２の閉状態に向けて、第１ストーッパを介在させる時に必要とする回動角度である，略１１０度回動して、停止する。
【０１１１】
この回動にともない、第１クッション大径部３０ａ側では、第１実施形態で説明したように、ＥＰＤＭなどの弾性材料で形成された第１クッション大径部３０ａ（または第２クッション大径部５０ａ）の第１徐変作用面３３、（または第２徐変作用面）が、内向き突起部１３によって圧縮、変形することで相互間に作用する押圧力や、摺動抵抗によって良好な緩衝作用が発生する。
【０１１２】
この良好な緩衝作用により、便座２を開状態から閉状態にむけて回動させる時、該便座２（または弁蓋３）の傾倒スピードが遅くなり、便座２（または便座３）が便器１に衝突する際に発生する不快な衝突音を防止することが出来る。
【０１１３】
またこの回動にともない同時に、第１ストッパー２０３は、略１／２程度まで圧縮・変形するような永久歪特性に優れるシリコーンゴムで形成されているので、第１シャフト大径部２０ｂ側でも、ＥＰＤＭなどの弾性材料で形成された分離型第１ストッパー外向き突起部２０１、２０１が、分離型第１ストッパー壁面２０２、２０２に向けて，第１シャフト２０の軸心Ｐを中心とする反時計回り方向に、便座２が開状態から閉状態にいたるまでの回動角度の略１１０度から、第１ストッパー２０３が圧縮・変形された後の略１５度の方向幅長さを引いた程度に回動したところで、分離型第１ストッパー壁面２０２に当接して配設されている分離型第１ストッパー２０３に衝突しはじめる。
【０１１４】
すなわち分離型第１ストッパー２０３は、分離型第１ストッパー２０３の円弧面状を有する摺接面の周方向における巾部長さとして、上記したような永久歪特性にすぐれたシリコーンゴムの場合では、たとえば約３０度の大きさに形成されているが、分離型第１ストッパー２０３に衝突後にさらに回動がすすむと、圧縮・変形が進んで、摺接面の周方向における巾部長は、略半減し、軸心Ｐを中心とする周方向における摺接面の巾部長さは、約１５度程度にまで圧縮・変形されいくが、このとき圧縮・変形の進捗に伴って、回動に対する良好な緩衝作用を行うとともに、圧縮・変形の終了によって、回動に対する良好な制限作用を行う。
【０１１５】
この結果、該便座２（または弁蓋３）の傾倒スピードが遅くなり、便座２（または便座３）が便器１に衝突する際に発生する不快な衝突音を防止することが出来るし、便座を所定の位置で確実に閉状態に停止させる事ができる。
【０１１６】
以上のように、本実施形態によれば、使用者の長期旅行等で、便座が長い時間閉じたまま維持されて、第１クッション３０ａ側の第１徐変作用面や第１円弧内周面に、へたりが生じて緩衝作用が低下してきた場合にも、１シャフト大径部２０ｂ側の分離型第１ストッパー外向き突起部２０１を、分離型第１ストッパー壁面２０２と分離型第１ストッパー外向き突起部２０１との間に介在させたシリコーンゴムなどの永久歪特性にすぐれた弾性材料からなる第１ストッパー２０３を介して、ケース孔部１０ａに形成された分離型第１ストッパー壁面２０２に、当接させることにより、回動をソフトに停止させるようにしたので、緩衝作用を長期にわたって維持できて、衝突音を確実に緩和することが出来る。
【０１１７】
なお、便蓋３と一体的に回動する第２クッション大径部５０ａに形成された第２外向き突起部及び第２徐変作用面及び第２円弧外周面と、孔部１０ａ内に形成された内向き突起部との係合関係及び、第２シャフト大径部５０ｂに形成された分離型第２ストッパー外向き突起部４０１と、第２ストッパー４０３を介した、孔部１０ａ内に形成された分離型第２ストッパー壁面４０２との当接関係についても、上記と同じような構成・作用にあるので、説明は省略する。
【０１１８】
また前記内向き突起部１３と前記第１外向き突起部３２との係合により前記本体部に対する前記蓋類（便座２または便蓋３）の開状態となる起立位置を保持せしめ、両該突起部の係合解除方向に該便座２を付勢することにより該便座２を閉状態に向けて該本体部１側に傾倒させて行く時、該内向き突起部１３が回動する前記第１徐変作用面３３と摺接することにより該便座２の回動の緩衝作用をなし、さらに該便座２が自重で回動することにより該便座２を閉状態近傍となる位置まで該本体部１側に傾倒した時、回動する前記第１ストッパー外向き突起部が第１ストッパー２０３に当接し該第１ストッパー２０３を弾性変形させることにより該便座２回動の緩衝作用と停止作用をなすようにした一つまたは複数に構成されたダンパ装置においても、それぞれのダンパ装置ごとでは、上記と同じような構成、作用にあるので、説明は省略する。
【図面の簡単な説明】
【０１１９】
【図１】第１実施形態のダンパ装置の全体構成を示し、図２のＡ−Ａ線及び図３のＢ−Ｂ線に沿う縦断面図である。
【図２】第１実施形態のダンパ装置に係り、第１クッションの比較的外径の大きい段部で切った、すなわち図１のＣ−Ｃ線に沿う横断面図である
【図３】第１実施形態のダンパ装置に係り、第１クッションの比較的外径の小さい段部で切った、すなわち図１のＤ−Ｄ線に沿う横断面図である。
【図４】第１実施形態のダンパ装置が装着される便器を示す側面図である。
【図５】第２実施形態のダンパ装置の全体構成を示し、図２のＡ−Ａ線及び図６のＢ−Ｂ線に沿う縦断面図である。
【図６】第２実施形態のダンパ装置に係り、第１シャフトの比較的外径の大きい段部で切った、すなわち図１のＤ−Ｄ線に沿う横断面図である。
【符号の説明】
【０１２０】
１０・・・ケース
１０ａ・・ケース孔部
１１・・・ケース本体
１１ａ・・ケース本体側軸受け孔部
１２・・・ケースエンド
１２ａ・・ケースエンド側軸受け孔部
２０・・・第１シャフト
２１・・・ケース側環状フランジ部
３０・・・第１クッション
３０ａ・・第１クッション大径部
３０ｂ・・第１クッション小径部
４０・・・第２シャフト
４１・・・環状フランジ部
４４・・・摺動外周面
５０・・・第２クッション
５０ａ・・第２クッション大径部
５０ｂ・・第２クッション小径部
１０１・・第１ストッパー外向き突起部
１０２・・第１ストッパー壁面
１０５・・第１ストッパー円弧外周面
【図１】
2006097729.tif 000003
【図２】
2006097729.tif 000004
【図３】
2006097729.tif 000005
【図４】
2006097729.tif 000006
【図５】
2006097729.tif 000007
【図６】
2006097729.tif 000008